(57)【要約】【課題】用紙種別の設定が異なる編集領域を連続して印刷する場合に、用紙や処理時間を無駄に消費することなく効率的に印刷が実行できる印刷制御装置および印刷制御プログラムを提供する。【解決手段】印刷制御装置において、現在接続されているプリンタのプリンタＩＤおよびプリンタに装着されている用紙の用紙ＩＤが、印刷対象のシートに設定されているプリンタＩＤおよび用紙ＩＤと一致する場合は（Ｓ４０１：ＹＥＳ）、印刷データを作成する（Ｓ４０３）。その後、設定に基づき、適宜カット指示データを付加してから（Ｓ４０４、Ｓ４０５）、プリンタに印刷データを送信して（Ｓ４０６）、印刷を実行させる。プリンタＩＤおよび用紙ＩＤが一致しない場合でも（Ｓ４０１：ＮＯ）、設定に基づき、印刷が可能な用紙であれば（Ｓ４１１：ＮＯ→Ｓ４１２：ＹＥＳ）、同様にして印刷を実行させる（Ｓ４０３〜Ｓ４０６）。【選択図】図１３
2008234481.tif 000002
【特許請求の範囲】
【請求項１】
文字、記号、図柄等を印刷媒体に印刷する印刷手段を有する印刷装置に接続されて前記印刷装置の印刷動作を制御する印刷制御装置であって、
１つのドキュメントを構成する複数の編集領域の各々について設定された、前記編集領域が印刷される印刷媒体を特定するための識別情報である印刷媒体設定情報を取得する印刷媒体設定情報取得手段と、
前記印刷媒体設定情報取得手段によって取得された前記印刷媒体設定情報が同一の前記編集領域を連続して印刷するように前記印刷手段を制御する印刷制御手段とを備えたことを特徴とする印刷制御装置。
【請求項２】
複数の前記編集領域のうち、最初に印刷される前記編集領域に設定されている前記印刷媒体設定情報である最先印刷媒体設定情報を取得する最先印刷媒体情報取得手段をさらに備え、
前記印刷制御手段は、前記最先印刷媒体情報取得手段によって取得された前記最先印刷媒体設定情報と同一の前記印刷媒体設定情報が設定された前記編集領域から順に連続して印刷するように前記印刷手段を制御することを特徴とする請求項１に記載の印刷制御装置。
【請求項３】
前記最先印刷媒体情報取得手段によって取得された前記最先印刷媒体設定情報によって特定される前記印刷媒体を報知する印刷媒体報知手段をさらに備えたことを特徴とする請求項２に記載の印刷制御装置。
【請求項４】
前記印刷制御手段は、前記最先印刷媒体設定情報と同一の前記印刷媒体設定情報が設定された前記編集領域および前記最先印刷媒体設定情報によって特定される前記印刷媒体に印刷可能な前記印刷媒体設定情報が設定された前記編集領域から順に連続して印刷するように前記印刷手段を制御することを特徴とする請求項２または３に記載の印刷制御装置。
【請求項５】
前記印刷装置に装着されている前記印刷媒体が有する識別情報である印刷媒体識別情報を取得する印刷媒体情報取得手段をさらに備え、
前記印刷制御手段は、前記印刷媒体情報取得手段によって取得された前記印刷媒体識別情報と同一の前記印刷媒体設定情報が設定された前記編集領域から順に連続して印刷するように前記印刷手段を制御することを特徴とする請求項１に記載の印刷制御装置。
【請求項６】
前記印刷媒体情報取得手段によって取得された前記印刷媒体識別情報とは異なる前記印刷媒体設定情報が設定された前記編集領域が印刷される直前に、前記印刷装置に装着されている前記印刷媒体を、前記編集領域に設定された前記印刷媒体設定情報によって特定される前記印刷媒体に交換するように報知する交換報知手段をさらに備えたことを特徴とする請求項５に記載の印刷制御装置。
【請求項７】
前記印刷制御手段は、前記印刷媒体識別情報と同一の前記印刷媒体設定情報が設定された前記編集領域および前記印刷媒体識別情報によって特定される前記印刷媒体に印刷可能な前記印刷媒体設定情報が設定された前記編集領域から順に連続して印刷するように前記印刷手段を制御することを特徴とする請求項５または６に記載の印刷制御装置。
【請求項８】
複数の前記編集領域の各々について設定された、前記編集領域を印刷する印刷装置を特定するための装置設定情報を取得する装置設定情報取得手段と、
前記印刷装置が有する識別情報である装置識別情報を検出する装置検出手段とをさらに備え、
前記印刷制御手段は、前記装置検出手段によって検出された前記装置識別情報と同一の前記装置設定情報が設定された前記編集領域から順に連続して印刷するように前記印刷手段を制御することを特徴とする請求項１〜７のいずれかに記載の印刷制御装置。
【請求項９】
前記装置検出手段によって検出された前記装置識別情報とは異なる前記装置設定情報が設定された前記編集領域が印刷される直前に、接続されている前記印刷装置を、前記編集領域に設定された前記装置設定情報によって特定される前記印刷装置に変更するように報知する変更報知手段をさらに備えたことを特徴とする請求項８に記載の印刷制御装置。
【請求項１０】
前記印刷装置は、前記印刷手段によって前記印刷媒体であるテープに文字、記号、図柄等を印刷するテープ印刷装置であることを特徴とする請求項１〜９のいずれかに記載の印刷制御装置。
【請求項１１】
前記印刷装置は、前記テープを前記印刷手段を経由して搬送する搬送手段と、前記印刷手段による印刷後に前記テープを切断する切断手段を備えており、
複数の前記編集領域が前記テープの搬送方向に沿って順に連続して印刷される際、連続した前記編集領域の間で前記テープを切断するか否か、および切断する場合の切断方法を特定した編集領域間切断設定情報を取得する編集領域間切断設定情報取得手段と、
前記編集領域間切断設定情報取得手段によって取得された前記編集領域間切断設定情報が、前記テープを切断しないことを示す情報の場合には、連続した前記編集領域の間では前記テープの切断を行わず、また、前記テープを特定の切断方法で切断することを示す情報の場合には、前記切断方法によって連続した前記編集領域の間で前記テープを切断するように前記切断手段を制御する切断制御手段をさらに備えたことを特徴とする請求項１０に記載の印刷制御装置。
【請求項１２】
前記テープは、前記編集領域が印刷される印字テープと、前記印字テープの片面に粘着層を介して貼着された剥離テープから成り、
前記切断方法は、前記印字テープおよび前記剥離テープの両方を切断するフルカットと、前記印字テープのみを切断するハーフカットとを含むことを特徴とする請求項１１に記載の印刷制御装置。
【請求項１３】
前記ドキュメントが印刷される部数が複数の場合に、前記ドキュメントが１部印刷される毎に前記テープを切断するか否かを特定したドキュメント終端部切断設定情報を取得するドキュメント終端部切断設定情報取得手段をさらに備え、
前記切断制御手段は、前記ドキュメント終端部切断設定情報取得手段によって取得された前記ドキュメント終端部切断設定情報に従って、前記ドキュメントの印刷完了後に前記テープを切断するように、または切断しないように前記切断手段を制御することを特徴とする請求項１１または１２に記載の印刷制御装置。
【請求項１４】
複数の前記編集領域の各々について、前記印刷媒体設定情報を設定する印刷媒体設定手段をさらに備えたことを特徴とする請求項１〜１３のいずれかに記載の印刷制御装置。
【請求項１５】
複数の前記編集領域の各々について、前記装置設定情報を設定する装置設定手段をさらに備えたことを特徴とする請求項８〜１４のいずれかに記載の印刷制御装置。
【請求項１６】
前記編集領域間切断設定情報を設定する編集領域間切断設定手段をさらに備えたことを特徴とする請求項１１〜１５のいずれかに記載の印刷制御装置。
【請求項１７】
前記ドキュメント終端部切断設定情報を設定するドキュメント終端部切断設定手段をさらに備えたことを特徴とする請求項１３〜１６のいずれかに記載の印刷制御装置。
【請求項１８】
複数の前記編集領域のうち、印刷対象とする前記編集領域を特定する印刷対象特定手段をさらに備えたことを特徴とする請求項１〜１７のいずれかに記載の印刷制御装置。
【請求項１９】
請求項１〜１８のいずれかに記載の印刷制御装置の各種処理手段としてコンピュータを機能させるための印刷制御プログラム。
【発明の詳細な説明】
【技術分野】
【０００１】
本発明は、印刷装置の印刷動作を制御する印刷制御装置および印刷制御プログラムに関する。
【背景技術】
【０００２】
従来から、文字、記号、図柄等を印刷媒体に印刷する印刷装置に対して、印刷動作を制御する印刷制御装置が知られている。このような印刷制御装置では、ドキュメント（文書等のデータファイル）や、ドキュメント内に含まれ、各々が独立して編集が可能な所謂「シート」と呼ばれる編集領域等の各々について、印刷媒体である用紙のサイズを設定することができる。しかし、実際に印刷装置にセットされた用紙のサイズと設定された用紙のサイズとが異なる場合には、その都度エラーとして印刷処理を中止するか、サイズが異なる用紙にそのまま印刷を行っていた。その結果、前者の場合には、用紙のサイズが変わるたびに用紙を交換する手間がかかり、後者の場合には、印刷が用紙からはみ出す等の問題が生じていた。
【０００３】
そこで、用紙のサイズが同じ場合にのみ印刷を実行する印刷制御装置が提案されている。例えば、特許文献１に記載の印刷制御装置では、予め印刷条件ファイルに用紙サイズのデータが設定されており、給紙された用紙のサイズが設定と同一であると判断された場合にはそのまま印刷を行い、異なると判断された場合には印刷を行わずに用紙を排紙する。
【特許文献１】特開２００６−３５８０９号公報
【発明の開示】
【発明が解決しようとする課題】
【０００４】
しかしながら、特許文献１に記載の印刷制御装置では、印刷条件ファイルに設定された用紙サイズと実際に印刷装置にセットされた用紙のサイズとの比較判断は、用紙が給紙された後に行われる。すなわち、用紙サイズが適合しない用紙は、給紙されたにもかかわらず、印刷が実行されずに排紙されるため、用紙を無駄に消費するという問題があった。また、印刷が実行されない用紙も、途中までは印刷が実行される用紙と同様に印刷制御装置内を搬送されるため、全体として処理時間が長くなるという問題もあった。
【０００５】
本発明は、上記問題点を解決するためになされたものであり、用紙種別の設定が異なる編集領域を連続して印刷する場合に、用紙や処理時間を無駄に消費することなく効率的に印刷が実行できる印刷制御装置および印刷制御プログラムを提供することを目的とする。
【課題を解決するための手段】
【０００６】
上記目的を達成するために、請求項１に係る発明の印刷制御装置は、文字、記号、図柄等を印刷媒体に印刷する印刷手段を有する印刷装置に接続されて前記印刷装置の印刷動作を制御する印刷制御装置であって、１つのドキュメントを構成する複数の編集領域の各々について設定された、前記編集領域が印刷される印刷媒体を特定するための識別情報である印刷媒体設定情報を取得する印刷媒体設定情報取得手段と、前記印刷媒体設定情報取得手段によって取得された前記印刷媒体設定情報が同一の前記編集領域を連続して印刷するように前記印刷手段を制御する印刷制御手段とを備えている。
【０００７】
また、請求項２に係る印刷制御装置は、請求項１に記載の発明の構成に加え、複数の前記編集領域のうち、最初に印刷される前記編集領域に設定されている前記印刷媒体設定情報である最先印刷媒体設定情報を取得する最先印刷媒体情報取得手段をさらに備え、前記印刷制御手段は、前記最先印刷媒体情報取得手段によって取得された前記最先印刷媒体設定情報と同一の前記印刷媒体設定情報が設定された前記編集領域から順に連続して印刷するように前記印刷手段を制御することを特徴とする。
【０００８】
また、請求項３に係る印刷制御装置は、請求項２に記載の発明の構成に加え、前記最先印刷媒体情報取得手段によって取得された前記最先印刷媒体設定情報によって特定される前記印刷媒体を報知する印刷媒体報知手段をさらに備えている。
【０００９】
また、請求項４に係る印刷制御装置は、請求項２または３に記載の発明の構成に加え、前記印刷制御手段は、前記最先印刷媒体設定情報と同一の前記印刷媒体設定情報が設定された前記編集領域および前記最先印刷媒体設定情報によって特定される前記印刷媒体に印刷可能な前記印刷媒体設定情報が設定された前記編集領域から順に連続して印刷するように前記印刷手段を制御することを特徴とする。
【００１０】
また、請求項５に係る発明の印刷制御装置は、請求項１に記載の発明の構成に加え、前記印刷装置に装着されている前記印刷媒体が有する識別情報である印刷媒体識別情報を取得する印刷媒体情報取得手段をさらに備え、前記印刷制御手段は、前記印刷媒体情報取得手段によって取得された前記印刷媒体識別情報と同一の前記印刷媒体設定情報が設定された前記編集領域から順に連続して印刷するように前記印刷手段を制御することを特徴とする。
【００１１】
また、請求項６に係る発明の印刷制御装置は、請求項５に記載の発明の構成に加え、前記印刷媒体情報取得手段によって取得された前記印刷媒体識別情報とは異なる前記印刷媒体設定情報が設定された前記編集領域が印刷される直前に、前記印刷装置に装着されている前記印刷媒体を、前記編集領域に設定された前記印刷媒体設定情報によって特定される前記印刷媒体に交換するように報知する交換報知手段をさらに備えている。
【００１２】
また、請求項７に係る発明の印刷制御装置は、請求項５または６に記載の発明の構成に加え、前記印刷制御手段は、前記印刷媒体識別情報と同一の前記印刷媒体設定情報が設定された前記編集領域および前記印刷媒体識別情報によって特定される前記印刷媒体に印刷可能な前記印刷媒体設定情報が設定された前記編集領域から順に連続して印刷するように前記印刷手段を制御することを特徴とする。
【００１３】
また、請求項８に係る発明の印刷制御装置は、請求項１〜７のいずれかに記載の発明の構成に加え、複数の前記編集領域の各々について設定された、前記編集領域を印刷する印刷装置を特定するための装置設定情報を取得する装置設定情報取得手段と、前記印刷装置が有する識別情報である装置識別情報を検出する装置検出手段とをさらに備え、前記印刷制御手段は、前記装置検出手段によって検出された前記装置識別情報と同一の前記装置設定情報が設定された前記編集領域から順に連続して印刷するように前記印刷手段を制御することを特徴とする。
【００１４】
また、請求項９に係る発明の印刷制御装置は、請求項８に記載の発明の構成に加え、前記装置検出手段によって検出された前記装置識別情報とは異なる前記装置設定情報が設定された前記編集領域が印刷される直前に、接続されている前記印刷装置を、前記編集領域に設定された前記装置設定情報によって特定される前記印刷装置に変更するように報知する変更報知手段をさらに備えている。
【００１５】
さらに、請求項１０に係る発明の印刷制御装置では、請求項１〜９のいずれかに記載の発明の構成に加え、前記印刷装置は、前記印刷手段によって前記印刷媒体であるテープに文字、記号、図柄等を印刷するテープ印刷装置であることを特徴とする。
【００１６】
また、請求項１１に係る発明の印刷制御装置では、請求項１０に記載の発明の構成に加え、前記印刷装置は、前記テープを前記印刷手段を経由して搬送する搬送手段と、前記印刷手段による印刷後に前記テープを切断する切断手段を備えており、複数の前記編集領域が前記テープの搬送方向に沿って順に連続して印刷される際、連続した前記編集領域の間で前記テープを切断するか否か、および切断する場合の切断方法を特定した編集領域間切断設定情報を取得する編集領域間切断設定情報取得手段と、前記編集領域間切断設定情報取得手段によって取得された前記編集領域間切断設定情報が、前記テープを切断しないことを示す情報の場合には、連続した前記編集領域の間では前記テープの切断を行わず、また、前記テープを特定の切断方法で切断することを示す情報の場合には、前記切断方法によって連続した前記編集領域の間で前記テープを切断するように前記切断手段を制御する切断制御手段をさらに備えている。
【００１７】
また、請求項１２に係る発明の印刷制御装置では、請求項１１に記載の発明の構成に加え、前記テープは、前記編集領域が印刷される印字テープと、前記印字テープの片面に粘着層を介して貼着された剥離テープから成り、前記切断方法は、前記印字テープおよび前記剥離テープの両方を切断するフルカットと、前記印字テープのみを切断するハーフカットとを含むことを特徴とする。
【００１８】
また、請求項１３に係る発明の印刷制御装置は、請求項１１または１２に記載の発明の構成に加え、前記ドキュメントが印刷される部数が複数の場合に、前記ドキュメントが１部印刷される毎に前記テープを切断するか否かを特定したドキュメント終端部切断設定情報を取得するドキュメント終端部切断設定情報取得手段をさらに備え、前記切断制御手段は、前記ドキュメント終端部切断設定情報取得手段によって取得された前記ドキュメント終端部切断設定情報に従って、前記ドキュメントの印刷完了後に前記テープを切断するように、または切断しないように前記切断手段を制御することを特徴とする。
【００１９】
また、請求項１４に係る印刷制御装置は、請求項１〜１３のいずれかに記載の発明の構成に加え、複数の前記編集領域の各々について、前記印刷媒体設定情報を設定する印刷媒体設定手段をさらに備えている。
【００２０】
また、請求項１５に係る発明の印刷制御装置は、請求項８〜１４のいずれかに記載の発明の構成に加え、複数の前記編集領域の各々について、前記装置設定情報を設定する装置設定手段をさらに備えている。
【００２１】
また、請求項１６に係る発明の印刷制御装置は、請求項１１〜１５のいずれかに記載の発明の構成に加え、前記編集領域間切断設定情報を設定する編集領域間切断設定手段をさらに備えている。
【００２２】
また、請求項１７に係る発明の印刷制御装置は、請求項１３〜１６のいずれかに記載の発明の構成に加え、前記ドキュメント終端部切断設定情報を設定するドキュメント終端部切断設定手段をさらに備えている。
【００２３】
また、請求項１８に係る発明の印刷制御装置は、請求項１〜１７のいずれかに記載の発明の構成に加え、複数の前記編集領域のうち、印刷対象とする前記編集領域を特定する印刷対象特定手段をさらに備えている。
【００２４】
さらに、請求項１９に係る発明の印刷制御プログラムは、請求項１〜１８のいずれかに記載の印刷制御装置の各種処理手段としてコンピュータを機能させる。
【発明の効果】
【００２５】
請求項１に係る発明の印刷制御装置は、１つのドキュメントを構成する複数の編集領域の各々に設定された印刷媒体識別情報が同一の編集領域を連続して印刷するものである。すなわち、例えば、用紙サイズ設定（印刷媒体識別情報）が異なるシート（編集領域）が混在するドキュメントを印刷する場合に、用紙サイズが同一のシートのみを連続して印刷することができる。したがって、シートの用紙サイズ設定が変わるたびに用紙を交換しなければならない場合に比べて、用紙交換回数を低減できる。
【００２６】
また、請求項２に係る発明の印刷制御装置は、最初に印刷される編集領域に設定されている最先印刷媒体識別情報を取得し、これに合致する編集領域から順に連続して印刷するものである。すなわち、最初に印刷されるシートの用紙サイズ設定と適合するシートから順に印刷するので、請求項１に記載の発明の効果に加え、効率のよい順序で印刷を行うことができる。
【００２７】
また、請求項３に係る発明の印刷制御装置は、最初に印刷される編集領域が印刷される印刷媒体を報知する。すなわち、ユーザは、印刷開始前に報知内容を確認して、印刷装置に適切な用紙を装着することができる。したがって、請求項２に記載の発明の効果に加え、用紙サイズが合わないために印刷が開始できないという不都合を回避することができる。
【００２８】
また、請求項４に係る発明の印刷制御装置は、最初に印刷される編集領域が印刷される印刷媒体に対応する印刷媒体設定情報が設定された編集領域だけでなく、その印刷媒体に印刷可能な印刷媒体設定情報が設定された編集領域もあわせて順に印刷する。すなわち、設定された用紙サイズが最初に印刷される編集領域の用紙のサイズと異なる場合であっても、印刷可能なサイズであれば印刷を行う。したがって、請求項２または３に記載の発明の効果に加え、用紙交換回数をさらに低減することができる。
【００２９】
また、請求項５に係る発明の印刷制御装置は、現在印刷装置に装着されている印刷媒体の印刷媒体識別情報を取得し、これに合致する編集領域から順に連続して印刷するものである。すなわち、現在印刷装置にセットされている用紙の用紙サイズと適合するシートから順に印刷するので、請求項１に記載の発明の効果に加え、効率のよい順序で印刷を行うことができる。
【００３０】
また、請求項６に係る発明の印刷制御装置は、現在印刷装置に装着されている印刷媒体とは対応しない印刷媒体設定情報が設定された編集領域が印刷される直前に、印刷媒体の交換を促すものである。すなわち、印刷装置に装着されている用紙の用紙サイズと同じ用紙サイズ設定のシートを先に連続して印刷しておき、異なる用紙サイズ設定のシートのみが残されると、次に印刷するシートに設定された用紙サイズの用紙に交換するように促す。したがって、請求項５に記載の発明の効果に加え、用紙サイズが合わないために印刷が開始できないという不都合を回避することができる。また、印刷装置に装着された用紙では印刷が続けられなくなった時点で、次に装着すべき用紙が報知されるので、ユーザは適切な時期に用紙交換を行い、印刷を続けることができる。
【００３１】
また、請求項７に係る発明の印刷制御装置は、印刷装置に装着された印刷媒体に対応する印刷媒体設定情報が設定された編集領域だけでなく、印刷装置に装着された印刷媒体に印刷可能な印刷媒体設定情報が設定された編集領域もあわせて順に印刷する。すなわち、設定された用紙サイズがセットされた用紙のサイズと異なる場合であっても、印刷可能なサイズであれば印刷を行う。したがって、請求項５または６に記載の発明の効果に加え、用紙交換回数をさらに低減することができる。
【００３２】
また、請求項８に係る発明の印刷制御装置は、現在接続されている印刷装置を検出し、装置設定情報により特定される印刷装置が一致する編集領域から順に印刷するものである。したがって、請求項１〜７のいずれかに記載の発明の効果に加え、印刷開始時に装置の不適合でエラーが生じることがない。
【００３３】
また、請求項９に係る発明の印刷制御装置は、現在接続されている印刷装置とは対応しない装置設定情報が設定された編集領域が印刷される直前に、接続先の印刷装置の変更を促すものである。したがって、請求項８に記載の発明の効果に加え、接続先の印刷装置と指定された出力先の印刷装置が合わないために印刷が開始できないという不都合を回避することができる。また、現在の接続先の印刷装置では印刷が続けられなくなった時点で、次に接続すべき印刷装置が報知されるので、ユーザは適切な時期に接続先の変更を行い、印刷を続けることができる。
【００３４】
さらに、請求項１０に係る発明の印刷制御装置が接続される印刷装置は、テープ印刷装置である。テープ印刷では、同じドキュメント内のシートは関連性が高く、一体として扱いたい場合が多い。したがって、請求項１〜９のいずれかに記載の発明の効果に加え、複数のシートを連続して１枚のテープに印刷することにより、管理や配布等が容易となる。
【００３５】
また、請求項１１に係る発明の印刷制御装置は、編集領域間切断設定情報に基づいて、連続して印刷される編集領域の間で、設定された切断方法でテープを切断するように、または切断を行わないようにテープ印刷装置の切断手段を制御する。すなわち、１枚のテープに印刷された複数のシートをつなげておくことも、分割することも可能である。したがって、請求項１０に記載の効果に加え、各シート毎に個別のラベルを作成したりすることができて利便性が高い。
【００３６】
また、請求項１２に係る発明の印刷制御装置では、印字テープおよび印字テープに貼着された剥離テープの２層構造からなるテープの切断方法には、テープを完全に切断するフルカットと、剥離テープのみを切断するハーフカットが含まれる。したがって、請求項１１に記載の発明の効果に加え、ハーフカットを施すことで、管理や配布が容易な１枚のテープでありながら、個別のラベルをすぐに剥離テープからはがして使える形態を実現することができる。
【００３７】
また、請求項１３に係る発明の印刷制御装置は、ドキュメントが印刷される部数が複数の場合に、ドキュメント終端部切断設定情報に基づいて、ドキュメントが１部印刷される毎に、テープを切断するように、または切断を行わないようにテープ印刷装置の切断手段を制御する。したがって、請求項１１または１２に記載の発明の効果に加え、同じドキュメントを複数部印刷する場合に、管理や配布の際、個別に扱いたい場合、一体化しておきたい場合のいずれにも対応できる。
【００３８】
また、請求項１４に係る発明の印刷制御装置は、各編集領域について、その編集領域が印刷される印刷媒体を特定する印刷媒体設定情報を設定することができる。したがって、請求項１〜１３のいずれかに記載の発明の効果に加え、ユーザは、状況に応じてシート毎に所望の用紙サイズ設定をすることができる。
【００３９】
また、請求項１５に係る発明の印刷制御装置は、各編集領域について、その編集領域の出力先の印刷装置を特定する装置設定情報を設定することができる。したがって、請求項８〜１４のいずれかに記載の発明の効果に加え、ユーザは、状況に応じてシート毎に所望の出力先の印刷装置を設定することができる。
【００４０】
また、請求項１６に係る発明の印刷制御装置は、連続して印刷される編集領域間の切断をどのようにするか特定する編集領域間切断設定情報を設定することができる。したがって、請求項１１〜１５のいずれかに記載の発明の効果に加え、ユーザは、状況に応じて所望の切断設定をすることができる。
【００４１】
また、請求項１７に係る発明の印刷制御装置は、ドキュメントを複数部印刷する場合に、ドキュメントを１部印刷する毎に印刷するか否かを特定するドキュメント終端部切断設定情報を設定することができる。したがって、請求項１３〜１６のいずれかに記載の発明の効果に加え、ユーザは、状況に応じて所望の切断設定をすることができる。
【００４２】
また、請求項１８に係る発明の印刷制御装置は、１つのドキュメントを構成する複数の編集領域のうち、印刷対象とする編集領域を特定することができる。したがって、請求項１〜１７のいずれかに記載の発明の効果に加え、ユーザは、ドキュメント内で印刷を希望するシートのみを選択して印刷することができる。
【００４３】
さらに、請求項１９に係る発明の印刷制御プログラムは、請求項１〜１８のいずれかに記載の印刷制御装置の各種処理手段としてコンピュータを機能させることができる。したがって、請求項１〜１９のいずれかに記載の発明の効果を奏することができる。
【発明を実施するための最良の形態】
【００４４】
以下、本発明に係る「印刷制御装置」として、テープ印刷装置１に接続されたパーソナルコンピュータ（以下、ＰＣという）２００を採用した一実施の形態について、図面を参照して説明する。なお、参照する図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００４５】
まず、図１を参照して、ＰＣ２００およびテープ印刷装置１の物理的構成の概要について説明する。図１は、テープ印刷装置１に接続された状態のＰＣ２００の外観斜視図である。図１に示すように、ＰＣ２００は、例えばＵＳＢ規格に基づくＵＳＢケーブル１０によってテープ印刷装置１に接続されており、ＵＳＢケーブル１０を介してテープ印刷装置１との間でデータの授受を行っている。後で詳述するが、ユーザが、ＰＣ２００において、印刷する対象の編集やテープ印刷装置１で印刷が行われる際の条件設定等を行うと、ＰＣ２００は、それに基づいた印刷データを作成し、ＵＳＢケーブルを介してテープ印刷装置１に送信する。その結果、テープ印刷装置１では、受信された印刷データに従って印刷が行われる。
【００４６】
図１に示すＰＣ２００は、周知のパーソナルコンピュータであり、本体２０１と、モニタ２７１と、キーボード２８１と、マウス２８２とを備えている。なお、モニタ２７１、キーボード２８１、およびマウス２８２は、それぞれ本体２０１に接続ケーブルによって接続されている。また、本体２０１の前面には、ＣＤ−ＲＯＭ２４１（図２参照）を挿入することができるＣＤ−ＲＯＭドライブ２４０が設けられている。
【００４７】
一方、図１に示すテープ印刷装置１は、略直方体状の筐体２を備え、筐体２の前面(図中、右手前方向の面）には、印刷媒体であるラベルテープ３００を排出するためのテープ排出口３が設けられている。また、筐体２の左側面に設けられたカバー５を開放すると、内部には、カセット装着フレーム１１（図５参照）が設けられており、ここに後述するテープカセット３５０（図５参照）が装着できるように構成されている。なお、テープ印刷装置１の内部構造については、後述する。
【００４８】
次に、図２〜図４を参照して、ＰＣ２００の電気的構成について説明する。図２は、ＰＣ２００の電気的構成を示すブロック図である。図３は、ＲＡＭ２３０の記憶領域の説明図である。図４は、ＨＤＤ２５０の記憶領域の説明図である。
【００４９】
図２に示すように、ＰＣ２００は、ＰＣ２００の制御を司るＣＰＵ２１０を備えている。ＣＰＵ２１０には、バス２９０を介して、ＲＯＭ２２０と、ＲＡＭ２３０と、ＣＤ−ＲＯＭドライブ２４０と、ハードディスクドライブ（ＨＤＤ）２５０と、ＵＳＢインターフェース２６０と、表示制御部２７０と、入力検知部２８０とが接続されている。
【００５０】
ＲＯＭ２２０は、ＣＰＵ２１０が実行するＢＩＯＳ等のプログラムを記憶する読出し専用の記憶装置である。ＲＡＭ２３０は、データを一時的に記憶する読み書き可能な記憶装置である。図３に示すように、ＲＡＭ２３０は、ドキュメント記憶領域２３０１、編集対象シート記憶領域２３０２、シート設定プリンタ記憶領域２３０３、シート設定用紙記憶領域２３０４、印刷対象シート数記憶領域２３０５、印刷対象シート記憶領域２３０６、カットオプション記憶領域２３０７、印刷オプション記憶領域２３０８、印刷部数記憶領域２３０９、接続先プリンタ記憶領域２３１０、装着用紙記憶領域２３１１、印刷処理対象シート記憶領域２３１２、印刷データ記憶領域２３１３、印刷のべ回数カウンタ記憶領域２３１４、印刷部数カウンタ記憶領域２３１５、および印刷対象シートカウンタ記憶領域２３１６を備えている。
【００５１】
ドキュメント記憶領域２３０１には、データの編集や印刷が行われる対象となる１つのドキュメントが記憶される。なお、ここでいう「ドキュメント」とは、１つのまとまりとして記憶されたデータ（データファイル）である。ドキュメントに含まれるデータは、文字、記号、図形、画像等を含むが、これらに限られない。そして、１つのドキュメントは、各々について、独立して編集作業や印刷設定等を行うことが可能な「シート」と呼ばれる編集領域から構成されている。なお、ドキュメントを構成するシートは、１つしか存在しない場合も、複数存在する場合もある。また、編集対象シート記憶領域２３０２には、データの編集や印刷条件の設定が行われる対象となる１つのシート（編集対象シート）が記憶される。また、シート設定プリンタ記憶領域２３０３には、後述するように、ドキュメントを構成するシート毎に設定された、出力先プリンタのプリンタ識別情報（以下、プリンタＩＤという）が記憶される。シート設定用紙記憶領域２３０４には、後述するように、ドキュメントを構成するシート毎に設定された、シートが印刷される用紙の用紙識別情報（以下、用紙ＩＤという）が記憶される。印刷対象シート数記憶領域２３０５には、後述するように、ドキュメントを構成するシートのうち、印刷対象とするシート（印刷対象シート）の数が記憶される。印刷対象シート記憶領域２３０６には、印刷対象シートが記憶される。カットオプション記憶領域２３０７には、カットオプション情報が記憶される。カットオプション情報とは、テープ印刷を行う場合に、印刷後のテープを切断するか否か、および切断する場合はどのように切断するかを特定する情報であり、後述するように、印刷設定条件の１つとして設定される。印刷オプション記憶領域２３０８には、印刷オプション情報が記憶される。印刷オプション情報とは、シートに設定されたプリンタＩＤおよび用紙ＩＤと、後述する接続先プリンタＩＤおよび装着用紙ＩＤとが一致しない場合に印刷処理を続行するか否かを特定する情報であり、後述するように、印刷設定条件の１つとして設定される。印刷部数記憶領域２３０９には、後述するように、印刷設定条件の１つとして設定される印刷部数が記憶される。
【００５２】
また、接続先プリンタ記憶領域２３１０には、ＰＣ２００に現在接続され、出力先とされているプリンタのプリンタＩＤである接続先プリンタＩＤが記憶される。装着用紙記憶領域２３１１には、現在接続されているプリンタに装着されている用紙の用紙ＩＤである装着用紙ＩＤが記憶される。さらに、印刷処理対象シート記憶領域２３１２には、現在印刷制御処理の対象とされているシートである印刷処理対象シートに関する情報が記憶される。具体的には、印刷処理対象シートに印刷される文字、記号、図形等のデータや、印刷処理対象シートに設定された出力先プリンタのプリンタＩＤおよび印刷される用紙の用紙ＩＤ等が記憶される。そして、印刷データ記憶領域２３１３には、テープ印刷装置１の印刷動作を制御するための印刷データが記憶される。なお、印刷データには、ラベルテープ３００に印刷を行うための印字用ドットパターン、そのときの印加パルス数、ラベルテープ３００の切断設定等が含まれる。
【００５３】
さらに、印刷のべ回数カウンタ記憶領域２３１４には、後述する印刷制御処理において、印刷のべ回数をカウントするために使用される印刷のべ回数カウンタが記憶される。また、印刷部数カウンタ記憶領域２３１５には、後述する印刷制御処理において、すでに印刷した部数をカウントするために使用される印刷部数カウンタが記憶される。印刷対象シートカウンタ記憶領域２３１６には、後述する印刷制御処理において、印刷対象シートを順にをカウントするために使用される印刷対象シートカウンタが記憶される。
【００５４】
ＣＤ−ＲＯＭドライブ２４０は、データが記憶されたＣＤ−ＲＯＭ２４１が挿入されると、ＣＤ−ＲＯＭ２４１からデータの読み込みを行うものである。また、記憶装置であるＨＤＤ２５０には、図４に示すように、プログラム記憶領域２５０１、印刷設定初期値記憶領域２５０２、用紙対応情報記憶領域２５０３等が設けられている。プログラム記憶領域２５０１には、ＰＣ２００でドキュメントのデータを編集するためのプログラムや、テープ印刷装置１の印刷動作を制御するためのプログラム等、各種のプログラムが記憶されている。また、印刷設定初期値記憶領域２５０２には、後述するように印刷設定が行われる際に初期値として設定されるデフォルト値が記憶されている。用紙対応情報記憶領域２５０３には、用紙ＩＤ毎に、その用紙とはサイズが異なるが、印刷可能な用紙の用紙ＩＤである対応サイズ用紙ＩＤが記憶されている。例えば、２４ｍｍ幅のテープの用紙ＩＤに対応して、１８ｍｍ幅のテープの用紙ＩＤ等が記憶されている。なお、後述するデータ編集処理および印刷制御処理用のプログラムや、これらの実行時に使用される設定やデータ等は、ＣＤ−ＲＯＭ２４１に記憶されたものを読み込んで、ＨＤＤ２５０に記憶させることができる。その他には、例えば、フレキシブルディスクやＭＯ等の他の記憶媒体を介して取得してもよい。あるいは、ＰＣ２００をネットワークに接続させ、ネットワーク上の他の端末から取得してもよい。
【００５５】
ＵＳＢインターフェース２６０は、テープ印刷装置１を含む外部機器との通信を行うためのインターフェースである。表示制御部２７０には、ユーザが視聴する操作画面を表示するモニタ２７１に接続されており、表示制御部２７０は、モニタ２７１の画面表示処理を行う。また、入力検知部２８０には、ユーザが操作の入力を行うためのキーボード２８１およびマウス２８２が接続されており、入力検知部２８０はこれらからの入力の検知を行う。
【００５６】
次に、図５を参照して、テープ印刷装置１の内部構造について説明する。図５は、カバー５を開放した状態のテープ印刷装置１の内部構造を示す部分側面図である。なお、以下の説明において、図５における紙面上下方向および左右方向を、それぞれ、テープ印刷装置１およびテープカセット３５０の上下方向および左右方向というものとする。
【００５７】
図５に示すように、テープ印刷装置１の内部には、凹部１１１を有するカセット装着フレーム１１が設けられており、この凹部１１１にテープカセット３５０を着脱することができる。なお、図５は、テープカセット３５０を装着した状態を表している。カセット装着フレーム１１の凹部１１１の上方には、ローラホルダ２３が軸２３１を中心として回動可能に設けられている。なお、ローラホルダ２３には、プラテンローラ２１および圧接ローラ２２が回転可能に取り付けられ、凹部１１１に対向するように配置されている。ローラホルダ２３は、後述するテープカセット３５０が凹部１１１に嵌め込まれるときは、プラテンローラ２１および圧接ローラ２２が最も上方にあるリリース位置に配置されているが、印刷が開始されると、軸２３１を中心として回動され、プラテンローラ２１および圧接ローラ２２が最も下方にある印刷位置に配置されるように構成されている。
【００５８】
また、カセット装着フレーム１１の凹部１１１の上部には、プレート１２が、底面から垂直方向（紙面に対して垂直方向）に立設されている。プレート１２のプラテンローラ２１に対向する側面には、ラベルテープ３００に印刷を行うサーマルヘッド１３が配設されている。さらに、カセット装着フレーム１１の凹部１１１の圧接ローラ２２に対向する位置には、テープ送りローラ軸１６が凹部１１１の底面から垂直方向（紙面に対して垂直方向）に立設されている。テープ送りローラ軸１６は、図５に示すように、後述するテープカセット３５０が凹部１１１に装着されると、テープカセット３５０の有するテープ送りローラ３９に噛合される。そして、後述するテープ送りモータ４７（図６参照）からの駆動力により回転駆動され、テープ送りローラ３９を回転させる。
【００５９】
また、カセット装着フレーム１１の凹部１１１の右側上方の、テープ排出口３付近には、テープカッタ１７が配設されている。テープカッタ１７は、固定刃１７１と可動刃１７２とから構成されており、後述するテープカッタ駆動モータ４１（図６参照）によって固定刃１７１に対して可動刃１７２が回動されることにより、ラベルテープ３００を切断するものである。
【００６０】
さらに、凹部１１１の左下隅には、テープ種別検出スイッチ６５（図６参照）が設けられている。テープ種別検出スイッチ６５は、検出センサ基板と、検出センサ基板上からバネ等に付勢されて突出する４本のスイッチ端子軸６５１とから構成されている。テープ種別検出スイッチ６５は、後述するテープカセット３５０の識別孔３１との組合せにより、凹部１１１に収納されたテープカセット３５０の種別、本実施形態では、ラベルテープ３００のテープ幅を検出するためのものである。
【００６１】
また、カセット装着フレーム１１の左側には、ラベルテープ３００を搬送するための駆動源であるＤＣモータ６が取り付けられている。ＤＣモータ６の回転駆動力は、適宜の伝達機構を介して、プラテンローラ２１、圧接ローラ２２、およびテープ送りローラ軸１６に伝達され、それぞれを回転させる。
【００６２】
次に、テープ印刷装置１に装着されるテープカセット３５０について説明する。テープカセット３５０は、上ケースとテープカセット３５０の各構成部材を収容する下ケースとが組み付けられて、略直方体形状に形成されている。図５に示すように、テープカセット３５０の上部には、凹部であるヘッド装着部１４が設けられている。ヘッド装着部１４には、テープカセット３５０がカセット装着フレーム１１の凹部１１１に装着されたときに、前述のプレート１２およびサーマルヘッド１３が配置される。
【００６３】
また、テープカセット３５０の下ケース内部には、第１スプール３７、第２スプール３２、および第３スプール３４という３つのスプールが回転自在に設けられている。第１スプール３７には、印刷が行われる表面を有する印刷用テープおよび印刷用テープの裏面に粘着層を介して貼着された剥離テープの２層構造を有するラベルテープ３００が巻回されている。第２スプール３２および第３スプール３４は、本実施形態では、後述するように、テープカセット３５０内を搬送されるラベルテープ３００を案内する案内ローラの役割を果たすものである。
【００６４】
また、テープカセット３５０の下ケース内の、右上部には、テープ送りローラ３９が回転自在に設けられている。テープカセット３５０がカセット装着フレーム１１の凹部１１１に装着されると、テープ送りローラ３９には前述したテープ送りローラ軸１６が噛合され、テープ送りローラ軸１６が回転駆動されることにより、テープ送りローラ３９が回転するように構成されている。
【００６５】
さらに、テープカセット３５０の下ケースの左下隅には、テープカセット３５０の種別を特定する識別孔３１が設けられている。なお、識別孔３１の形成パターンは、テープカセット３５０の備えるテープの種別に従って異なるパターンとされており、図５に例示するテープカセット３５０には、２つの識別孔３１が上下方向に並んだパターンが形成されている。一方、カセット装着フレーム１１の凹部１１１の、テープカセット３５０が装着されたときに識別孔３１が配置される位置には、前述したテープ種別検出スイッチ６５が設けられている。そして、各識別孔３１には、対応する位置に設けられたテープ種別検出スイッチ６５の４本のスイッチ端子軸６５１のいずれかが挿入される。図５に示すテープカセット３５０の場合、４本のスイッチ端子軸６５１のうち２本は識別孔３１に貫挿されるため、オフとなる。一方、識別孔３１が設けられていない箇所に対向したスイッチ端子軸６５１（図示外）は、テープカセット３５０の下ケース底面によりスイッチ端子軸６５１が押し込まれることになるため、オンとなる。このように、これら４つのスイッチ端子軸６５１から検出されるオン・オフの組合せに基づいて、テープカセット３５０の種類を検出することができる。本実施形態では、識別孔３１およびテープ種別検出スイッチ６５は、テープカセット３５０が備えるラベルテープ３００のテープ幅の検出に用いられる。
【００６６】
次に、テープ印刷装置１の電気的構成について、図６を参照して説明する。図６は、テープ印刷装置１の電気的構成を示すブロック図である。図６に示すように、テープ印刷装置１の制御部４０は、制御装置であるＣＰＵ５２を核として構成されており、ＣＰＵ５２には、ＲＯＭ５５と、ＲＡＭ６０と、入出力インターフェース５０とが接続されている。
【００６７】
ＣＰＵ５２は、ＲＯＭ５５に予め格納されたプログラムを読み出して実行することにより、テープ印刷装置１全体の制御を司る。ＲＯＭ５５には、ＰＣ２００において作成され、ＵＳＢケーブル１０を介して送信されてくる印刷データに基づいて、サーマルヘッド１３、テープ送りモータ４７、テープカッタ駆動モータ４１を駆動するための印刷実行プログラム等、テープ印刷装置１の制御上必要な各種のプログラムが格納されている。ＲＡＭ６０には、印刷実行時にＰＣ２００から送信されてくる印刷データ等、各種処理の際使用するデータを一時的に記憶する複数の記憶領域が設けられている。
【００６８】
また、入出力インターフェース５０には、サーマルヘッド１３を駆動するための駆動回路４８と、テープカッタ１７を動作させるテープカッタ駆動モータ４１を駆動するための駆動回路４２と、テープ送りモータ４７を駆動するための駆動回路４９が接続されている。入出力インターフェースには、さらに、ＵＳＢケーブル１０を介してＰＣ２００に接続するためのＵＳＢポート２５が接続されている。さらに、入出力インターフェース５０には、前述したテープ種別検出スイッチ６５も接続されている。
【００６９】
ここで、図５を参照して、以上のように構成されたテープ印刷装置１の印刷動作について説明する。図５に示すようにテープカセット３５０がテープ印刷装置１に装着された後、後述するように、ＰＣ２００から送信された印刷データにより印刷実行が指示されると、ローラホルダ２３が印刷位置まで回動され、プラテンローラ２１および圧接ローラ２２が、サーマルヘッド１３およびテープ送りローラ３９にそれぞれ圧接された状態となる。すなわち、ラベルテープ３００は、これらの間で挟持された状態となる。そして、ＤＣモータ６が駆動されると、伝達機構を介して伝達されるＤＣモータ６の駆動力によって、プラテンローラ２１と、圧接ローラ２２と、テープ送りローラ３８とがそれぞれ回転する。これによってラベルテープ３００は第１スプール３７から引き出され、第２スプール３２および第３スプール３４を経てさらに搬送され、サーマルヘッド１３によりテープ表面に印刷が行われる。そして、圧接ローラ２２とテープ送りローラ３９の間を通過して、テープカッタ１７により適宜切断された後、テープ排出口３からテープ印刷装置１の外部へと排出される。
【００７０】
次に、図７〜図１１を参照して、このようにしてテープ印刷装置１に印刷を行わせるために、ＰＣ２００で行われる処理について説明する。図７は、データ編集処理のフローチャートである。図８は、モニタ２７１に表示される編集画面２７１０の模式図である。図９は、プリンタ設定画面１６１の模式図である。図１０は、用紙設定画面１６２の模式図である。図１１は、印刷設定画面１８０の模式図である。なお、図７に示すデータ編集処理は、ＣＰＵ２１０が、ＨＤＤ２５０のプログラム記憶領域２５０１に記憶されたプログラムに従って実行するものである。
【００７１】
まず、図７に示すデータ編集処理が行われる過程で、モニタ２７１に表示される各種画面について説明する。図８に示す編集画面２７１０は、プログラムが起動され、図７に示すデータ編集処理が開始されると表示される画面である。ユーザは、編集画面２７１０を見ながら、キーボード２８１やマウス２８２を用いて、編集や設定のためのデータや指示の入力を行うことができる。図８に示すように、編集画面２７１０の上部には、各種の操作指示を行うためのメニューバー１１０、およびツールバー１２０が設けられている。また、編集画面２７１０の下半分には、テープ印刷装置１で印刷を行う文字等を表示するための作業領域１５０が設けられており、ここに編集中のシート１４０が表示される。また、作業領域１５０の周囲には、作業領域１５０で入力するツール（文字、線、四角、曲線等）を指定するための入力ツールボックス１３２や、ラベルテープ３００の選択や設定を行うためのページプロパティツールボックス１３３、シート１４０内で行う文字入力の詳細設定を行うためのテキストプロパティツールボックス１３１が設けられている。さらに、作業領域１５０の左下隅には、現在編集されているシート名を表示する編集シート表示欄１３４と、現在編集対象とされているドキュメントを構成するシートの総数および現在編集されているシート番号を表示するシート数表示欄１３５が設けられている。図８に示す編集画面２７１０の例では、編集シート表示欄１３４に「シート１」が表示され、シート数表示欄１３５には、「１／３」が表示されている。すなわち、現在編集対象とされているドキュメントには３つのシートが含まれており、現在編集中のシートは、そのうち１番目のシートの「シート１」であることを示している。編集シート表示欄１３４の両隅には、シート移動ボタン１３６が設けられており、シート移動ボタン１３６をクリックすることで、作業領域１５０に表示される編集対象シートを変更することができる。また、シート数表示欄１３５の左隣には、新規シート作成ボタン１３７が設けられており、これを１回クリックする度に、新しいシートが挿入される。
【００７２】
図９および図１０に示すプリンタ／用紙設定画面１６０は、ユーザによって編集画面２７１０のメニューバー１１０に表示される「ファイル」メニューが選択され、「ファイル」メニュー内に表示される複数の項目のうち、「プリンタ／用紙の設定」がさらに選択されると表示される画面である。プリンタ／用紙設定画面１６０は、現在編集対象として選択されているシートについて、印刷データの出力先であるプリンタと、用紙サイズを設定するための画面である。すなわち、１つのドキュメントを構成するシート毎に、出力先プリンタや用紙サイズを個別に設定することができる。そして、ユーザは、プリンタ／用紙設定画面１６０の上部に表示される「プリンタ」または「用紙」の表示のいずれかをマウス２８２を操作して選択することにより、図９に示すプリンタ設定画面１６１と、図１０に示す用紙設定画面１６２とを切り替えることができる。また、プリンタ／用紙設定画面１６０の下部には、表示されている設定を確定するＯＫボタン１６１５と、プリンタ／用紙設定画面１６０表示前の設定に戻すキャンセルボタン１６１６とが設けられている。
【００７３】
図９に示すように、プリンタ設定画面１６１には、プリンタ種別選択ボタン１６１１、プリンタ指定リストボックス１６１２、プロパティボタン１６１３、およびデフォルトプリンタ設定ボタン１６１４が設けられている。テープ印刷装置１のようなテープ印刷用のプリンタで印刷を行うか、その他のプリンタで印刷を行うかを選択するプリンタ種別選択ボタン１６１１が設けられている。そして、選択されたいずれかの種別のプリンタについて、接続先のプリンタを１つ特定するためのプリンタ指定リストボックス１６１２と、プリンタ指定リストボックス１６１２で指定されたプリンタの詳細設定画面（図示外）に移行するためのプロパティボタン１６１３が設けられている。さらに、選択されたプリンタを、他に指示されない限り通常の接続先（デフォルトプリンタ）として指定するデフォルトプリンタ設定ボタン１６１４が設けられている。
【００７４】
また、図１０に示す用紙設定画面１６２には、用紙サイズ設定ボックス１６２１と、用紙の向きを設定する用紙方向設定ボックス１６２７と、用紙の左右および上下の余白をそれぞれ設定する余白設定ボックス１６２８とが設けられている。プリンタ設定画面１６１において、出力先としてテープ印刷装置１等のテーププリンタが指定された場合には、用紙サイズ設定ボックス１６２１には、用紙のフォーマット（レイアウト）を設定するフォーマットリストボックス１６２２と、テープ印刷を行う場合のテープの長さを設定する長さ設定リストボックス１６２３と、テープの幅を設定する幅設定リストボックス１６２５とが表示される。なお、プリンタ設定画面１６１において、出力先として通常のプリンタが指定されている場合には、Ａ４、Ｂ４、Ａ３等の用紙サイズが表示される用紙サイズリストボックス（図示外）が表示される。フォーマットリストボックス１６２２からは、ユーザが自由にテープの長さや幅を設定する「通常フォーマット」や、ＣＤやビデオテープのケース等のサイズに合わせてシート１４０のサイズが自動的に設定される各種の規定フォーマットを選択することができる。また、長さ設定リストボックス１６２３の右側には自動調整チェックボックス１６２４が設けられており、ここにチェックを入れると、シートに印刷される内容の長さに応じて、テープ長さが自動的に調整され、設定される。また、幅設定リストボックス１６２５の右側には、自動検出ボタン１６２６が設けられており、これを選択すると、前述したように、テープ印刷装置１のテープ種別検出スイッチ６５によって検出されたラベルテープ３００のテープ幅が自動的に設定される。
【００７５】
次に、図１１に示す印刷設定画面１８０について説明する。印刷設定画面１８０は、ユーザによって編集画面２７１０のメニューバー１１０に表示される「ファイル」メニューが選択され、「ファイル」メニュー内に表示される複数の項目のうち、「印刷」がさらに選択されると表示される画面である。印刷設定画面１８０は、印刷にあたって、出力先のプリンタの指定や、テープの切断方法の指定、印刷対象の指定等を行い、印刷実行を指示するための画面である。図１１に示すように、印刷設定画面１８０には、プリンタ設定ボックス１８１と、印刷対象設定ボックス１８２と、印刷オプション設定ボックス１８３と、部数設定ボックス１８４とが設けられている。また、印刷設定画面１８０の下部には、表示されている設定を確定し、印刷実行を指示するための印刷ボタン１８５と、印刷は行わずに印刷設定画面１８０表示前の設定に戻るキャンセルボタン１８６とが設けられている。
【００７６】
プリンタ設定ボックス１８１内には、現在接続されているプリンタが表示され、変更したい場合に他のプリンタに切替え操作を行うことができる接続先プリンタリストボックス１８１１や、現在接続されているプリンタに装着されている用紙サイズ等が表示される。図１１の例は、現在、ＰＣ２００に接続されているプリンタは、２４ｍｍ幅のテープが装着された「ＴＡＰＥ  ＰＲＩＮＴＥＲ１」であることを示している。
【００７７】
さらに、プリンタ設定画面１６１において、接続先としてテープ印刷装置１等のテーププリンタが指定された場合には、図１１に示すように、プリンタ設定ボックス１８１内に、カットオプションリストボックス１８１２が表示される。テープ印刷装置１等のテーププリンタの場合、ドキュメントを構成する各シートは、テープの搬送される方向に沿って、順に連続して印刷が行われる。そこで、カットオプションリストボックス１８１２では、例えばテープカッタ１７（図５参照）により、連続するシートの間でテープを切断するか否かや、切断する場合はどのように切断するか等を選択することができる。具体的には、カットオプションリストボックス１８１２には、「オートカット」「ハーフカット」「つなげて印刷」等が表示される。「オートカット」とは、連続して印刷されるシート間を完全にカット（フルカット）し、かつ、１つのドキュメントの印刷後にも、フルカットを行う切断方法である。よって、後述するように印刷部数が複数に設定されると、ドキュメントが１部印刷される毎に、フルカットが行われる。「ハーフカット」とは、連続して印刷されるシート間で、前述したラベルテープ３００のような２層構造のテープのうち、印刷用テープのみをカット（ハーフカット）する切断方法である。また、「つなげて印刷」とは、シート間、ドキュメント印刷後のいずれにもフルカットを行わない指定である。なお、これらの選択肢から、複数を同時に選択することも可能である。例えば、３つのシートから構成されるドキュメントについて、図１１に示すように「オートカット」および「ハーフカット」が同時に選択された場合には、シート間の切断方法は「ハーフカット」が優先され、３つのシート間の２箇所でハーフカットが行われ、３番目のシート、すなわちドキュメント全体の印刷が完了すると、フルカットが行われる。また、「ハーフカット」と「つなげて印刷」が同時に選択されると、３つのシート間の２箇所でハーフカットが行われ、３番目のシート、すなわちドキュメント全体の印刷が完了するとカットは一切行わず、そのまま印刷を終了する。
【００７８】
印刷対象設定ボックス１８２では、ドキュメントを構成するシートのうち、いずれのシートを印刷するかを指定することができる。具体的には、印刷対象設定ボックス１８２内に設けられた「すべて」「現在のシート」「シート指定」の３種類のチェックボックスのいずれかを選択することにより、全シートを選択するか、現在表示されているシートのみ印刷するか、シート番号により指定されたシートのみ印刷するかを選択することができる。図１１の例では、３つのシートから構成されるドキュメントについて、シート番号が１および２のシートのみを印刷することを指定している。
【００７９】
印刷オプション設定ボックス１８３では、ドキュメントを構成する各シートに設定された出力先プリンタおよび用紙サイズと、プリンタ設定ボックス１８１内に表示されている現在接続されているプリンタおよびそのプリンタに装着されている用紙サイズとが異なる場合に、印刷を行うか否かを指定することができる。例えば、あるシートに設定されている出力先プリンタが「ＴＡＰＥ  ＰＲＩＮＴＥＲ１」で、現在の接続先が同じ機種の「ＴＡＰＥ  ＰＲＩＮＴＥＲ２」である場合や、あるシートに設定されている用紙サイズが１２ｍｍ幅のテープで、現在の接続先プリンタに装着されているのが２４ｍｍ幅のテープである場合、たとえ両者が一致しなくても、印刷を行うことは可能である。そこで、このような場合を想定し、印刷オプション設定ボックス１８３には、「設定と一致のみ印刷」および「可能なら印刷」の２つのチェックボックスが設けられている。すなわち、「設定と一致のみ印刷」が選択されると、シートの設定と実際の接続先・装着用紙が完全に一致しない限り印刷が行われないが、図１１の例のように、「可能なら印刷」が選択されると、いすれかが一致しなくても、可能であれば印刷が行われる。
【００８０】
部数設定ボックス１８４では、ドキュメントの印刷部数を設定することができる。よって、例えば印刷対象設定ボックス１８２において、図１１のように、３つのシートのうち１番目と２番目のシートのみが印刷対象として選択され、部数設定ボックス１８４で印刷部数が「３」と指定された場合には、１番目と２番目のシートが交互に３部ずつ印刷されることになる。
【００８１】
次に、図７に示す、ＰＣ２００のＣＰＵ２１０により実行されるデータ編集処理について説明する。処理が開始されるとまず、ＣＰＵ２１０は、編集や印刷の対象とされるドキュメントのデータをＲＡＭ２３０のドキュメント記憶領域２３０１に取得する（Ｓ１４０）。なお、このとき取得されるドキュメントのデータは、予め作成され、ＨＤＤ２５０等の記憶装置に記憶されていたものが読込まれる場合と、新規に作成される場合がある。次にＣＰＵ２１０は、ドキュメント記憶領域２３０１に記憶されたドキュメントのデータから、編集対象のシートのデータを選択し、編集対象シート記憶領域２３０２に記憶させる（Ｓ１５０）。なお、新規作成のドキュメントであれば、１番目のシートが選択され、既存ドキュメントであれば、先回の編集で最終的に編集対象とされていたシートが選択される。なお、このとき、モニタ２７１には、前述の編集画面２７１０（図８参照）が表示される。シートが選択されると（Ｓ１５０）、ＣＰＵ２１０は次に、マウス２８２の操作を介して、メニューから「プリンタ／用紙の設定」が選択されたか否かを判断する（Ｓ１５１）。そして、「プリンタ／用紙設定」が選択されたと判断した場合には（Ｓ１５１：ＹＥＳ）、さらに「プリンタ設定」が選択されたか否かを判断する（Ｓ１５２）。具体的には、このときモニタ２７１に表示されているプリンタ／用紙設定画面１６０において、プリンタ設定画面１６１（図９参照）が選択された場合には、「プリンタ設定」が選択されたと判断する（Ｓ１５２：ＹＥＳ）。そして、この場合には、前述したプリンタ設定画面１６１においてユーザのマウス２８２操作を介して入力された指示に従い、プリンタの設定を行う（Ｓ１５３）。そして、編集対象シートのシート番号と設定された出力先プリンタのプリンタＩＤとが対応づけられて、ＲＡＭ２３０のシート設定プリンタ記憶領域２３０３に記憶される。ＯＫボタン１６１５またはキャンセルボタン１６１６がクリックされると設定は終了し、プリンタ／用紙設定の指示が行われたか否かの判断に戻る（Ｓ１５１）。
【００８２】
一方、プリンタ／用紙設定画面１６０で、プリンタ設定画面１６１ではなく、用紙設定画面１６２（図１０参照）が選択された場合には（Ｓ１５２：ＮＯ）、用紙設定画面１６２においてユーザのマウス２８２操作を介して入力された指示に従い、用紙の設定を行う（Ｓ１５５）。そして、編集対象シートのシート番号と設定された用紙の用紙ＩＤとが対応づけられて、ＲＡＭ２３０のシート設定用紙記憶領域２３０４に記憶される。そして、プリンタ設定（Ｓ１５３）の場合と同様に、ＯＫボタン１６１５またはキャンセルボタン１６１６がクリックされると設定は終了し、プリンタ／用紙設定の指示が行われたか否かの判断に戻る（Ｓ１５１）。
【００８３】
シートの選択（Ｓ１５０）の後、メニューから「プリンタ／用紙設定」が選択されず（Ｓ１５１：ＮＯ）、「印刷」が選択された場合には（Ｓ１６１：ＹＥＳ）、モニタ２７１には前述の印刷設定画面１８０（図１１参照）が表示される。そして、プリンタ設定ボックス１８１においいて、カットオプションリストボックス１８１２から、いずれかのカットオプションが選択されることにより設定されたカットオプション情報が、ＲＡＭ２３０のカットオプション記憶領域２３０７に記憶される（Ｓ１６２）。例えば、図１１の例では、「オートカット」および「ハーフカット」に対応するデータが記憶される。次に、印刷対象設定ボックス１８２において、チェックボックスが選択されることにより設定されたシートのデータが、ＲＡＭ２３０の印刷対象シート記憶領域２３０６に記憶されるとともに、印刷対象シートの数が、印刷対象シート数記憶領域２３０５に記憶される（Ｓ１６３）。例えば、図１１の例では、シート番号１および２のシートのデータがドキュメント記憶領域２３０１から取得されて、印刷対象シート記憶領域２３０６に記憶されるとともに、印刷対象シート数として「２」が印刷対象シート数記憶領域２３０５に記憶される。そして、印刷オプション設定ボックス１８３において、チェックボックスが選択されることにより設定された印刷オプション情報が、ＲＡＭ２３０の印刷オプション記憶領域２３０８に記憶される（Ｓ１６４）。例えば、図１１の例では、「可能なら印刷」に対応するデータが記憶される。さらに、部数設定ボックス１８４において、数値が指定されることにより設定された印刷部数が、ＲＡＭ２３０の印刷部数記憶領域２３０９に記憶される（Ｓ１６５）。例えば、図１１の例では、設定された部数である「２」が記憶される。
【００８４】
このようにして、印刷条件に関する設定がすべて行われ、ＲＡＭ２３０の所定の記憶領域２３０１〜２３０８に記憶されると、ＣＰＵ２１０は、印刷設定画面１８０において、印刷ボタン１８５がクリックされたか否かに基づいて、印刷実行が指示されたか否かを判断する（Ｓ１６６）。印刷ボタン１８５がクリックされた場合には（Ｓ１６６：ＹＥＳ）、後述する印刷制御処理（Ｓ１６７）を行って、接続先のプリンタに印刷を行わせてから、プリンタ／用紙設定の指示が行われたか否かの判断に戻る（Ｓ１５１）。一方、印刷ボタン１８５がクリックされない場合は（Ｓ１６６：ＮＯ）、印刷設定画面１８０において、キャンセルボタン１８６または画面右上の「×」ボタンがクリックされるまで、印刷指示がされたか否かの監視を続ける（Ｓ１６８：ＮＯ→Ｓ１６６）。キャンセルボタン１８６または画面右上の「×」ボタンがクリックされると（Ｓ１６８：ＹＥＳ）、印刷設定画面１８０を介して行われた設定をすべてキャンセルして、プリンタ／用紙設定の指示が行われたか否かの判断に戻る（Ｓ１５１）。
【００８５】
シートの選択（Ｓ１５０）の後、メニューから「プリンタ／用紙設定」が選択されず（Ｓ１５１：ＮＯ）、「印刷」も選択されない場合には（Ｓ１６１：ＮＯ）、ＣＰＵ２１０は、その他の処理が指示されたか否かを判断する（Ｓ１７１）。。その他の処理が指示された場合は（Ｓ１７１：ＹＥＳ）、指示に応じたその他の処理が行われる（Ｓ１７２）。例えば、前述した編集画面２７１０の作業領域１５０（図８参照）において、表示されたシート１４０に文字等を追加または削除したり、装飾を施したり、拡大または縮小したりする編集作業がマウス２８２を介して行われ、その入力指示に応じた処理が行われる。また、例えば、シート移動ボタン１３６を操作することにより、編集対象シートが変更された場合には、そのとき編集対象シート記憶領域２３０２に記憶されていたデータでドキュメント記憶領域２３０１の対応するシートのデータを上書きし、代わりに新たに選択されたシートのデータをドキュメント記憶領域２３０１から編集対象シート記憶領域２３０２に記憶させるとともに、作業領域１５０に表示される編集対象シートを切り替える。その他の処理が行われた後は、プリンタ／用紙設定の指示が行われたか否かの判断に戻る（Ｓ１５１）。
【００８６】
その他の処理も指示されず（Ｓ１７１：ＮＯ）、処理の終了が指示された場合には（Ｓ１８１：ＹＥＳ）、ＣＰＵ２１０は、図７の処理を終了する。具体的には、メニューから「終了」が選択された場合や、編集画面２７１０（図８参照）右上の「×」ボタンがクリックされた場合には、ＣＰＵ２１０は終了が指示されたと判断し（Ｓ１８１：ＹＥＳ）、図７に示すデータ編集処理を終了する。終了が指示されていない場合には（Ｓ１８１：ＮＯ）、プリンタ／用紙設定の指示が行われたか否かの判断に戻る（Ｓ１５１）。
【００８７】
次に、図７のデータ編集処理において、印刷指示（Ｓ１６６：ＹＥＳ）がされた場合に行われる印刷制御処理（Ｓ１６７）について、図１２および図１３を参照して説明する。図１２は、印刷制御処理のフローチャートである。図１３は、図１２の印刷制御処理で行われる、印刷データ作成処理のフローチャートである。なお、図１２および図１３に示す印刷制御処理は、ＣＰＵ２１０が、ＨＤＤ２５０のプログラム記憶領域２５０１に記憶されたプログラムに従って実行するものである。
【００８８】
図１２に示す印刷制御処理が開始されると、ＣＰＵ２１０はまず、現在ＰＣ２００に接続されている接続先プリンタのプリンタＩＤと、接続先プリンタに装着されている装着用紙の用紙ＩＤを取得して、それぞれ、ＲＡＭ２３０の接続先プリンタ記憶領域２３１０および装着用紙記憶領域２３１１に記憶させる（Ｓ３００）。なお、本実施形態の説明では、接続先プリンタはテープ印刷装置１であるものとする。よって、テープ印刷装置１に対応するプリンタＩＤが、接続先プリンタＩＤとして接続先プリンタ記憶領域２３１０に記憶される。また、テープ印刷装置１に装着されたラベルテープ３００のテープ幅に対応する用紙ＩＤが、前述したテープ種別検出スイッチ６５によって検出され、装着用紙ＩＤとして装着用紙記憶領域２３１１に記憶される（Ｓ３００）。
【００８９】
その後、ＣＰＵ２１０は、ＲＡＭ２３０の印刷対象シート記憶領域２３０６に記憶された印刷対象シートのすべてについて、印刷済フラグをＯＦＦとして記憶させる（Ｓ３０１）。そして、ＣＰＵ２１０は、ＲＡＭ２３０の印刷のべ回数カウンタ記憶領域２３１４に記憶された印刷のべ回数カウンタの値Ｋを０に設定し（Ｓ３０２）、さらに、印刷部数カウンタ記憶領域２３１５に記憶された印刷部数カウンタの値ｍを１に設定する（Ｓ３０３）。そして、印刷対象シートカウンタ記憶領域２３１６に記憶された印刷対象シート番号カウンタの値ｎを１に設定するとともに、図７のＳ１６３において印刷対象シート記憶領域２３０６に記憶された印刷対象シートのうち、ｎ番目のシート（最初の処理では１番目のシート）を抽出して、印刷処理対象シート記憶領域２３１２に記憶させる（Ｓ３０４）。次にＣＰＵ２１０は、印刷対象シート番号カウンタの値ｎが、図７のＳ１６３において印刷対象シート数記憶領域２３０５に記憶された印刷対象シート数Ｎ以下であるか否かを判断する（Ｓ３１１）。印刷対象シート番号ｎが印刷対象シート数Ｎ以下の場合には（Ｓ３１１：ＹＥＳ）、まだ印刷対象シート番号ｎのシートについて処理が完了していないので、図１３に示す印刷データ作成処理に進む（Ｓ３２１）。
【００９０】
ここで、図１３を参照して、図１２のＳ３２１で行われる印刷データ作成処理について説明する。印刷データ作成処理が開始されると、ＣＰＵ２１０はまず、ＲＡＭ２３０のシート設定プリンタ記憶領域２３０３、シート設定用紙記憶領域２３０４、接続先プリンタ記憶領域２３１０、および装着用紙記憶領域２３１１に記憶されたデータを読み出して、現在処理中のｎ番目のシートに設定されたプリンタＩＤおよび用紙ＩＤと、接続先プリンタＩＤおよび装着用紙ＩＤが完全に一致しているか否かを判断する（Ｓ４０１）。プリンタＩＤおよび用紙ＩＤの少なくとも一方が一致していない場合には（Ｓ４０１：ＮＯ）、この後処理を続けるか否かを判断するために、印刷オプション記憶領域２３０８に記憶された印刷オプション情報を参照して、完全一致モードに設定されているか否かを判断する（Ｓ４１１）。具体的には、前述した印刷設定画面１８０（図１１参照）の印刷オプション設定ボックス１８３で、「設定と一致のみ印刷」が選択された場合には、印刷オプション情報が完全一致モードを示しているので（Ｓ４１１：ＹＥＳ）、印刷データ作成は行わずに、図１２の処理に戻る。一方、図１１の例のように、「可能なら印刷」が選択されていれば、完全一致モードではないため（Ｓ４１１：ＮＯ）、ＣＰＵ２１０は、ＨＤＤ２５０の用紙対応情報記憶領域２５０３を参照して、ｎ番目のシートに設定された用紙ＩＤは、現在接続されているテープ印刷装置１に装着されているラベルテープ３００で印刷可能な用紙ＩＤであるか否かを判断する（Ｓ４１２）。具体的には、ＨＤＤ２５０の用紙対応情報記憶領域２５０３に記憶されたデータを読み出し、シートに設定された用紙ＩＤが、用紙対応情報記憶領域２５０３に、装着用紙ＩＤに対応する対応サイズ用紙ＩＤとして記憶されているか否かを判断する。記憶されていれば、そのシートに設定された用紙サイズは、現在接続されているプリンタに装着されている用紙で印刷が可能であると判断され（Ｓ４１２：ＹＥＳ）、記憶されていなければ、印刷は不可能であると判断される（Ｓ４１２：ＮＯ）。印刷が不可能と判断された場合は（Ｓ４１２：ＮＯ）、印刷データ作成は行わずに、図１２の処理に戻る。
【００９１】
現在処理中のｎ番目のシートに設定されたプリンタＩＤおよび用紙ＩＤと、接続先プリンタＩＤおよび装着用紙ＩＤが完全に一致していると判断された場合（Ｓ４０１：ＹＥＳ）および完全に一致はしていないが印刷は可能であると判断された場合には（Ｓ４１２：ＹＥＳ）、このシートの印刷を行うので、ＲＡＭ２３０の印刷のべ回数カウンタ記憶領域２３１４に記憶された印刷のべ回数カウンタの値Ｋに１を加算する（Ｓ４０２）。そして、印刷処理対象シート記憶領域２３１２に記憶されたｎ番目のシートについて、公知の方法で印刷データが作成され、印刷データ記憶領域２３１３に記憶される（Ｓ４０３）。その後、ＣＰＵ２１０は、カットオプション記憶領域２３０７に記憶されているカットオプション情報を読み出し、「カットなしモード」を示すものか否かを判断する（Ｓ４０４）。「カットなしモード」とは、前述した印刷設定画面１８０（図１１参照）のプリンタ設定ボックス１８１のカットオプションリストボックス１８１２において、「つなげて印刷」のみが選択された場合に相当する。この場合には（Ｓ４０４：ＹＥＳ）、ラベルテープ３００の切断に関するカット指示データは必要ないため、Ｓ４０３で作成され、印刷データ記憶領域２３１３に記憶されたｎ番目のシートの印刷データをそのままＵＳＢケーブル１０を介してテープ印刷装置１に送信する（Ｓ４０６）。一方、「カットなしモード」ではない場合には（Ｓ４０４：ＮＯ）、カットオプション記憶領域２３０７に記憶されたカットオプション情報に基づいて、カット指示データを作成し、Ｓ４０３で作成され、印刷データ記憶領域２３１３に記憶されたｎ番目のシートの印刷データに付加する（Ｓ４０５）。例えば、図１１の例のように、「オートカット」および「ハーフカット」が選択された場合について説明する。ｎ<Ｎの場合には、ｎ番目のシートは印刷対象シートの最後ではないため、このシートの印刷後、所定の量だけラベルテープ３００を搬送してから、テープカッタ１７（図５参照）により印刷用テープのみを切断（ハーフカット）するようにテープ印刷装置１を動作させるための指示データが付加される。そして、ｎ≧Ｎの場合には、このシートが印刷対象シートの最後、すなわちこのドキュメントの最後であるため、所定の量だけラベルテープ３００を搬送してから、テープカッタ１７（図５参照）により印刷用テープおよび剥離テープの両方を切断（フルカット）するようにテープ印刷装置１を動作させるための指示データが付加される。そして、ＣＰＵ２１０は、カット指示データが付加された印刷データをテープ印刷装置１に送信する（Ｓ４０６）。その後、ＣＰＵ２１０は、印刷対象シート記憶領域２３０６のｎ番目の印刷対象シートに対応して記憶されている印刷済フラグをＯＮに上書きして（Ｓ４０７）、図１２の処理に戻る。
【００９２】
その後、印刷対象シートカウンタ記憶領域２３１６に記憶された印刷対象シート番号ｎに１を加算し（Ｓ３２２）、再びＳ３１１に戻って、印刷対象シート番号ｎが、印刷対象シート数Ｎ以下であるか否かを判断する。印刷対象シート番号ｎが、印刷対象シート数Ｎ以下の場合には（Ｓ３１１：ＹＥＳ）、まだ処理していない印刷対象シートがあるので、前述のＳ３２１〜Ｓ３２２の処理を繰り返す。印刷対象シート番号ｎが、印刷対象シート数Ｎを超えた場合は（Ｓ３１１：ＮＯ）、現在の接続先プリンタおよび装着用紙で印刷が可能な印刷対象シートについて、１部印刷が完了したことを意味する。そこで、印刷部数や先の印刷データ作成処理（Ｓ３２１）で印刷データの作成が行われなかったシートがある可能性を考慮して、印刷が完了したか否かの判断を行う。具体的には、印刷対象シート数記憶領域２３０５および印刷部数記憶領域２３０９を参照して、印刷対象シート数Ｎに印刷部数Ｍを乗じた値が、印刷のべ回数カウンタＫの値を超えているか否かを判断する（Ｓ３１２）。印刷対象シート数Ｎに印刷部数Ｍを乗じた値とは、設定された条件で印刷を行った場合に印刷される「のべシート数」である。例えば、図１１の例のように、印刷対象シート数が「２」で印刷部数が「２」であれば、２×２＝４つのシートが印刷されることになる。すなわち、印刷のべ回数カウンタＫの値が４に達すると、印刷が完了したことを意味する。よって、このように印刷のべ回数カウンタＫがＮ×Ｍ以上になった場合（Ｓ３１２：ＮＯ）、ＣＰＵ２１０は、図１２の印刷制御処理を終了して、図７のデータ編集処理に戻る。
【００９３】
一方、印刷対象シート数Ｎに印刷部数Ｍを乗じた値が、印刷のべ回数カウンタＫの値を超えている場合には（Ｓ３１２：ＹＥＳ）、設定された部数分の印刷が完了していないか、先の印刷データ作成処理（Ｓ３２１）で印刷データが作成されなかったシートがあることを意味する。そこでＣＰＵ２１０はＳ３１３に進み、印刷部数カウンタ記憶領域２３１５に記憶された印刷部数番号ｍの値が、印刷部数記憶領域２３０９に記憶された印刷部数Ｍ以上か否かを判断する。印刷部数番号ｍの値が、印刷部数Ｍ未満の場合には（Ｓ３１３：ＮＯ）、設定された部数分の印刷が完了していないので、印刷部数カウンタ記憶領域２３１５に記憶された印刷部数番号ｍに１を加算して（Ｓ３２３）、Ｓ３０４に戻り、印刷対象シートカウンタ記憶領域２３１６に記憶された印刷対象シート番号ｎを再び１に設定し、前述の処理を繰り返す。このとき、前述のようにして、現在接続されているプリンタおよび装着されている用紙で印刷できるシートのみが印刷される。印刷部数番号ｍの値が、印刷部数Ｍ以上になると（Ｓ３１３：ＹＥＳ）、ＣＰＵ２１０は、今度は印刷データ作成処理（Ｓ３２１）で印刷データが作成されなかったシートについて処理を継続するために、モニタ２７１にプリンタまたは用紙の変更を促すメッセージを表示させる（Ｓ３１４）。具体的には、ＣＰＵ２１０は、印刷対象シート記憶領域２３０６を参照して、印刷対象シートのうち、印刷済フラグが未だにＯＦＦとして記憶されている最初の印刷対象シートを抽出する。そしてこの印刷対象シートに設定されているプリンタＩＤおよび用紙ＩＤに対応するプリンタ名および用紙サイズと、「表示されたプリンタ・用紙に交換してください」等のメッセージを表示させればよい。その後、このとき同時に表示される「キャンセル」ボタン（図示外）によって、印刷がキャンセルされた場合は（Ｓ３１５：ＹＥＳ）、処理を終了する。キャンセルがされずに、「印刷続行」ボタンによって、印刷続行が指示されると（Ｓ３１５：ＮＯ）、再びＳ３００に戻って、その時点の接続先プリンタＩＤと装着用紙ＩＤを取得して、前述の処理を繰り返す。処理を繰り返した結果、最終的に印刷のべ回数カウンタＫがＮ×Ｍ以上になると（Ｓ３１２：ＮＯ）、すべての印刷が完了したことになるので、ＣＰＵ２１０は、図１２の印刷制御処理を終了して、図７のデータ編集処理に戻る。
【００９４】
なお、テープ印刷装置１がＰＣ２００から送信された印刷データを受信すると、テープ印刷装置１のＣＰＵ５２は、受信した印刷データをＲＡＭ６０に記憶させる。そして、印刷データを順に読み出し、印刷データに従って、サーマルヘッド１３およびテープ送りモータ４７にそれぞれ接続された駆動回路４８、４９を駆動させ、ラベルテープ３００を搬送しながら印刷を行う。そして、印刷データにカット指示データが含まれる場合には、カット指示データに従って、印刷後のラベルテープ３００をさらに搬送し、指示された位置で、指示された方法（例えばハーフカット）でテープカッタ１７によりラベルテープ３００を切断するように駆動回路４２を駆動させる。
【００９５】
ここで、図１４〜図１６を参照して、印刷対象である５つのシート中に、用紙サイズが異なる用紙設定が混在する具体例について、前述の印刷制御処理（図１２および図１３）がどのように行われるか説明する。図１４は、５つのシートの用紙およびプリンタの設定の説明図である。図１５は、２０ｍｍ幅のテープへの印刷結果の説明図である。図１６は、３０ｍｍ幅のテープへの印刷結果の説明図である。
【００９６】
前述のデータ編集処理（図７）において、図１４に示すようなプリンタ設定（Ｓ１５３）および用紙設定（Ｓ１５５）が行われたものとする。すなわち、シート１からシート４のすべてについて、図９のプリンタ設定画面１６１で、同一のテープ印刷装置１である「ＴＡＲＥ  ＰＲＩＮＴＥＲ１」が指定され、「ＴＡＲＥ  ＰＲＩＮＴＥＲ１」を特定するプリンタＩＤ「ＴＰ０１」が、各シート番号とともにＲＡＭ２３０のシート設定プリンタ記憶領域２３０３に記憶されている。そして、シート５については、「ＴＡＲＥ  ＰＲＩＮＴＥＲ１」と同一機種の「ＴＡＲＥ  ＰＲＩＮＴＥＲ２」が指定され、プリンタＩＤ「ＴＰ０２」が、シート５のシート番号とともにシート設定プリンタ記憶領域２３０３に記憶されている。さらに、図１０の用紙設定画面１６２で、シート１およびシート５については、２０ｍｍ幅のテープで長さが４０ｍｍである同一サイズが設定され、シート３については、２０ｍｍ幅のテープで長さが６０ｍｍに設定されている。また、シート２およびシート４については、テープ幅３０ｍｍで長さが４０ｍｍに設定されている。そして、ＲＡＭ２３０のシート設定用紙記憶領域２３０４には、シート１、シート３、およびシート５に対応する用紙ＩＤとして「Ｐ２０」が記憶され、シート２およびシート４に対応する用紙ＩＤとして「Ｐ３０」が記憶されている。ここで、長さ設定が異なるシート１およびシート５と、シート３とが同一の用紙ＩＤを有するのは、テープ印刷装置１の場合、長さはカットによって調整されるため、テープ幅が同一であれば、同一の用紙ＩＤとなるためである。また、シート１からシート５までの各データＳ１〜Ｓ５は、印刷対象シート記憶領域２３０６に記憶されている。なお、この具体例では、図１１の印刷設定画面１８０で、カットオプションとして「ハーフカット」および「オートカット」が選択され（Ｓ１６２）、印刷対象として、ドキュメントを構成する５つのシートのすべて（シート１〜シート５）が選択されたものとする（Ｓ１６３）。また、印刷オプションとして、「可能なら印刷」が選択され（Ｓ１６４）、印刷部数として「２」が選択されたものとする（Ｓ１６５）。これらの設定はすべて、前述したＲＡＭ２３０の所定の記憶領域に記憶されている。さらに、ＰＣ２００に現在接続されているプリンタはテープ印刷装置１である「ＴＡＰＥ  ＰＲＩＮＴＥＲ１」であり、「ＴＡＰＥ  ＰＲＩＮＴＥＲ１」に装着されているラベルテープ３００の幅は２０ｍｍであるものとする。
【００９７】
図１４の印刷対象シート１〜５について印刷が指示され（図７、Ｓ１６６：ＹＥＳ）、図１２に示す印刷制御処理が開始されると、ＣＰＵ２１０は、接続中のプリンタである「ＴＡＰＥ  ＰＲＩＮＴＥＲ１」と装着されたテープ幅２０ｍｍのラベルテープ３００を検出し、それぞれのＩＤである接続先プリンタＩＤ「ＴＰ０１」と装着用紙ＩＤ「Ｐ２０」とを、ＲＡＭ２３０の接続先プリンタ記憶領域２３１０と装着用紙記憶領域２３１１とに記憶させる（Ｓ３００）。そして、印刷のべ回数カウンタＫを０、印刷部数カウンタｍおよび印刷対象シート番号カウンタｎを１にそれぞれ設定する（Ｓ３０２→Ｓ３０３）。ここで印刷対象シート番号「ｎ＝１」と印刷対象シート数「Ｎ＝５」を比較すると、ｎ≦Ｎであるから（Ｓ３１１：ＹＥＳ）、印刷データ作成処理に進む（Ｓ３２１、図１３）。その後、ＣＰＵ２１０は、接続先プリンタＩＤ「ＴＰ０１」および装着用紙ＩＤ「Ｐ２０」を、１番目の印刷対象シートであるシート１（図１４参照）に設定されたプリンタＩＤ「ＴＰ０１」および用紙ＩＤ「Ｐ２０」と比較し、両者は一致すると判断する（Ｓ４０１：ＹＥＳ）。よって、印刷のべ回数カウンタＫに１を加算し、Ｋ＝１として（Ｓ４０２）、シート１のデータ「Ｓ１」から印刷データを作成する（Ｓ４０３）。そして、カットオプション記憶領域２３０７を参照し、シート１は最後のシートではないため、Ｓ１の印刷後にハーフカットを行うためのカット指示データを作成し、印刷データに付加してから（Ｓ４０５）、印刷データを「ＴＡＰＥ  ＰＲＩＮＴＥＲ１」に送信する（Ｓ４０６）。そして、印刷対象シート記憶領域２３０６に記憶されたシート１の印刷済フラグをＯＮにして、図１２の処理に戻る。
【００９８】
この時点で印刷対象シート番号が１番目のシートの処理が終了したので、印刷対象シート番号カウンタｎに１を加算して（ｎ＝２）（Ｓ３２２）、再び印刷対象シート数「Ｎ＝５」と比較すると、まだｎ≦Ｎであるから（Ｓ３１１：ＹＥＳ）、印刷データ作成処理に進む（Ｓ３２１、図１３）。すると、シート２（図１４参照）については、プリンタＩＤは「ＴＰ０１」であるから、接続先プリンタＩＤ「ＴＰ０１」と一致するが、用紙ＩＤが「Ｐ３０」であるから、装着用紙ＩＤ「Ｐ２０」とは一致しない（Ｓ４０１：ＮＯ）。そこで、印刷オプション記憶領域２３０８を参照すると、印刷モードは「可能なら印刷」モードであり、「完全一致モード」ではない（Ｓ４１１：ＮＯ）。そこでＣＰＵ２１０は、ＨＤＤ２５０の用紙対応情報記憶領域２５０３に記憶されたデータを読み出して、シート２に設定された用紙ＩＤが、「ＴＡＰＥ  ＰＲＩＮＴＥＲ１」に装着された２０ｍｍ幅テープで印刷可能な用紙ＩＤか否かを判断する（Ｓ４１２）。具体的には、用紙対応情報記憶領域２５０３に記憶された装着用紙ＩＤ「Ｐ２０」の対応サイズ用紙ＩＤの中に、シート２の用紙ＩＤである「Ｐ３０」があるか否かで判断する。本具体例では、用紙対応情報記憶領域２５０３には、「Ｐ２０」の対応サイズ用紙ＩＤとして、２０ｍｍ幅テープに対応する「Ｐ２０」、１５ｍｍ幅テープに対応する「Ｐ１５」および１０ｍｍ幅テープに対応する「Ｐ１０」が記憶されているものとする。そこでＣＰＵ２１０は、シート２は「ＴＡＰＥ  ＰＲＩＮＴＥＲ１」に装着された２０ｍｍ幅テープでは印刷不可能であると判断し（Ｓ４１２：ＮＯ）、シート２については印刷データを作成することなく、図１２の処理に戻る。同様にして、シート３およびシート４についてＳ３１１→Ｓ３２１→Ｓ３２２の処理を完了し、シート５について、Ｓ４０１の判断が行われると、シート５に設定されたプリンタＩＤは「ＴＰ０２」であり、接続先プリンタＩＤ「ＴＰ０１」とは一致しない（Ｓ４０１：ＮＯ）。しかし、シート５の用紙ＩＤは「Ｐ２０」であり、用紙対応情報記憶領域２５０３に記憶された装着用紙ＩＤ「Ｐ２０」の対応サイズ用紙ＩＤとして記憶されている。よって、印刷は可能であると判断され（Ｓ４１２：ＹＥＳ）、その後、印刷データが作成されることになる。このようにして、一通りの処理が完了すると、接続先プリンタＩＤおよび装着用紙ＩＤと、シートに設定されたプリンタＩＤおよび用紙ＩＤとが完全に一致するシート１およびシート３と、印刷が可能なシート５については、印刷データが作成されて、テープ印刷装置１である「ＴＡＰＥ  ＰＲＩＮＴＥＲ１」に送信され（Ｓ４０３〜Ｓ４０６）、図１５に示すように、シート１、シート３、シート５の順番で、それぞれに対応するデータＳ１、Ｓ３、Ｓ５が印刷される。また、印刷データに付加されたカット指示データに従い、シート１およびシート３の間と、シート３およびシート５の間とでは、ハーフカットが施され、シート５の後には、フルカットが施される。
【００９９】
シート５について、印刷データ作成処理（Ｓ３２１）が完了し、印刷対象シート番号カウンタｎに１が加算されると（Ｓ３２２）、印刷対象シート番号ｎ＝６となる。すなわち、印刷対象シート数「Ｎ＝５」を超えるので、ＣＰＵ２１０は、ｎ≦Ｎではないと判断する（Ｓ３１１：ＮＯ）。そこでＣＰＵ２１０は、印刷のべ回数カウンタＫの値が、印刷対象シート数Ｎに印刷部数Ｍを乗じた値よりも小さいか否かを判断する（Ｓ３１２）。このとき、前述の印刷データ作成処理（Ｓ３２１）で、シート１、シート３、およびシート５が印刷されたため、印刷のべ回数カウンタＫの値は「３」である。よって、Ｎ×Ｍ＝５×２＝１０よりも小さいと判断される（Ｓ３１２）。次に印刷部数カウンタの値ｍを印刷部数Ｍが比較されると、印刷部数カウンタｍ＝１であり、印刷部数Ｍ＝２であるから、ｍ≧Ｍではないと判断され（Ｓ３１３）、印刷部数カウンタｍに１が加算されてｍ＝２となり（Ｓ３２３）、Ｓ３０４に戻り、再びＳ３１１以降の処理が繰り返される。この処理でも、前述と同様に、シート１、シート３およびシート５について印刷データが作成されて（図１３、Ｓ４０３〜Ｓ４０５）「ＴＡＰＥ  ＰＲＩＮＴＥＲ１」に送信され（Ｓ４０６）、図１５の印刷結果が得られる。すなわち、シート１、シート３およびシート５について２部の印刷が完了する。
【０１００】
そして再びＳ３１２の判断が行われると、、印刷のべ回数カウンタＫの値は「６」であり、まだＮ×Ｍ＝５×２＝１０よりも小さいと判断される（Ｓ３１２：ＹＥＳ）。次のＳ３１３では、今度は印刷部数カウンタｍ＝２であり、印刷部数Ｍ＝２に達したため、ｍ≧Ｍであると判断される（Ｓ３１３：ＹＥＳ）。ここでＣＰＵ２１０が印刷対象シート記憶領域２３０６を参照すると、ここに記憶された印刷対象シートのうち、印刷済フラグがＯＦＦであるのは、シート２およびシート４である。そこでＣＰＵ２１０は、先に記憶されているシート２に設定されたプリンタＩＤおよび用紙ＩＤに基づき、モニタ２７１に「続けて印刷を行うには、『ＴＡＰＥ  ＰＲＩＮＴＥＲ１』と３０ｍｍ幅テープが必要です。交換してください。」等のメッセージを表示させる（Ｓ３１４）。この表示に従い、ユーザは、ＰＣ２００に接続されたテープ印刷装置１であるＴＡＰＥ  ＰＲＩＮＴＥＲ１のラベルテープ３００を３０ｍｍ幅のものに交換する。その後、モニタ２７１に表示される「印刷続行」ボタンを選択すると（Ｓ３１５：ＮＯ）、ＣＰＵ２１０は、接続中のプリンタである「ＴＡＰＥ  ＰＲＩＮＴＥＲ１」と装着されたテープ幅３０ｍｍのラベルテープ３００を検出する。そして、それぞれのＩＤである接続先プリンタＩＤ「ＴＰ０１」と装着用紙ＩＤ「Ｐ３０」とを、ＲＡＭ２３０の接続先プリンタ記憶領域２３１０と装着用紙記憶領域２３１１とに記憶させる（Ｓ３０１）。この後、前述の処理を繰り返すと、今度は、接続先プリンタＩＤ「ＴＰ０１」および装着用紙ＩＤ「Ｐ３０」とプリンタＩＤおよび用紙ＩＤの設定が一致するシート２およびシート４（図１４参照）について、印刷データが作成されて（Ｓ４０３〜Ｓ４０５）テープ印刷装置１である「ＴＡＰＥ  ＰＲＩＮＴＥＲ１」に送信される（Ｓ４０６）。その結果、図１６に示すように、シート２、シート４の順番で、それぞれに対応するデータＳ２とＳ４とが２部印刷される。また、印刷データに付加されたカット指示データに従い、シート２およびシート４の間ではハーフカットが施され、シート４の後には、フルカットが施される。
【０１０１】
以上に説明したように、本実施形態に係るＰＣ２００によれば、用紙サイズ設定が異なるシート（独立した編集領域）が混在するドキュメントを印刷する場合に、用紙サイズが同一のシートのみを連続して印刷することができる。したがって、シートの用紙サイズ設定が変わるたびに用紙を交換しなければならない場合に比べて、用紙交換回数を低減できる。また、ＰＣ２００に接続されているプリンタにセットされている用紙の用紙サイズと適合するシートから順に印刷するので、効率のよい順序で印刷を行うことができる。また、現在接続されているプリンタにセットされている用紙で印刷が続行できなくなった時点で、次に接続すべきプリンタやセットすべき用紙がモニタ２７１に表示される。したがって、ユーザは、適切な時期にプリンタ変更や用紙交換を行い、印刷を続けることができる。さらに、たとえシートの設定が異なっていても、現在接続されているプリンタおよびセットされている用紙で印刷可能であれば印刷を行うこともできるので、用紙交換回数をさらに低減することができる。
【０１０２】
また、テープ印刷装置１によってラベルテープ３００に印刷を行う場合、同じドキュメント内のシートは関連性が高く、一体として扱いたい場合が多い。したがって、複数のシートを連続して１枚のテープに印刷することにより、管理や配布等が容易となる。しかも、シート間を切断したり、切断する場合にはハーフカットを行う等、複数の切断方法に対応しているため、各シート毎に個別のラベルを作成したりすることができて利便性が高い。さらに、１つのドキュメントを複数部印刷する場合も、切断方法を特定することができる。
【０１０３】
さらに、ユーザは、状況に応じて、シート毎に所望の出力先プリンタや印刷用紙サイズ、シート間や、ドキュメントを１部印刷した後の切断方法等を設定することができる。また、ドキュメントを構成する複数のシートのうち一部のみを、印刷するシートとして設定することができる。したがって、ユーザの幅広いニーズに対応することができる。
【０１０４】
本実施形態において、ＰＣ２００が、本発明の「印刷制御装置」に相当し、テープ印刷装置１が、「印刷装置」に相当する。また、図１３のＳ４０１において、シート設定用紙記憶領域２３０４から用紙ＩＤを読み出すＣＰＵ２１０が、「印刷媒体設定情報取得手段」に相当する。図１３の処理によって、印刷可能なシートについて連続して印刷データを作成し、テープ印刷装置１に印刷データを送信して印刷を行わせるＣＰＵ２１０が、「印刷制御手段」に相当する。図１２のＳ３００において、ＰＣ２００に接続されているプリンタおよび装着されている用紙を検出するＣＰＵ２１０が、「印刷媒体情報取得手段」および「装置検出手段」に相当する。図１２のＳ３１４において、プリンタおよび用紙の変更を促すメッセージを表示させるＣＰＵ２１０が、「交換報知手段」および「変更報知手段」に相当する。図１３のＳ４０１において、シート設定プリンタ記憶領域２３０３からプリンタＩＤを読み出すＣＰＵ２１０が、「装置設定情報取得手段」に相当する。図１３のＳ４０４において、カットオプション記憶領域２３０７に記憶されているカットオプション情報を読み出すＣＰＵ２１０が、「編集領域間切断設定情報取得手段」および「ドキュメント終端部切断設定情報取得手段」に相当する。図１３のＳ４０４およびＳ４０５において、カットオプション記憶領域２３０７に記憶されているカットオプション情報に基づいて、適宜カット指示データを付加するＣＰＵ２１０が、「切断制御手段」に相当する。図７のＳ１５５において、入力された指示に基づき用紙ＩＤを設定するＣＰＵ２１０が、「印刷媒体設定手段」に相当する。図７のＳ１５３において、入力された指示に基づきプリンタＩＤを設定するＣＰＵ２１０が、「装置設定手段」に相当する。図７のＳ１６２において、入力された指示に基づきカットオプション情報を設定するＣＰＵ２１０が、「編集領域間切断設定手段」および「ドキュメント終端部切断設定手段」に相当する。図７のＳ１６３において、印刷対象シートを特定するＣＰＵ２１０が、「印刷対象特定手段」に相当する。
【０１０５】
なお、前述の実施形態に示される構成は例示であり、本発明は各種の変形が可能なことはいうまでもない。例えば、前述の実施形態では、テープ印刷装置１を「印刷装置」として説明したが、テープ印刷装置１に代えて、Ａ４サイズ、Ｂ４サイズ、Ａ３サイズ等の規定サイズの用紙に印刷を行うレーザープリンタやインクジェットプリンタを採用してもよい。この場合には、シート毎に設定された用紙サイズに、例えばＡ４とＡ３とが混在しているような場合、例えば、Ａ４サイズが設定されているシートについてのみ先に印刷を行えばよい。その後に、プリンタに装着された複数の用紙カセットから自動的に給紙カセットを選択するプリンタであれば、次にＡ３の用紙カセットを用いて、Ａ３サイズが設定されているシートについてのみ、連続して印刷を行えばよい。自動的に給紙カセットが選択されないプリンタでは、前述の実施形態と同様に、印刷制御装置に、用紙の交換を促すメッセージを表示させることができる。
【０１０６】
また、前述の実施形態では、最初にＰＣ２００に接続されているプリンタと、装着されている用紙を検出し、それに適合するシートから連続して印刷されるように構成されていたが、次のような構成とすることも可能である。すなわち、印刷対象シートのうち、最初に記憶されているシートに設定されているプリンタＩＤおよび用紙ＩＤを読み出し、対応するプリンタおよび用紙をモニタ２７１等に表示させて、そのプリンタおよび用紙をセットするように促してもよい。この場合は、最初に記憶されているシートに設定されている用紙ＩＤを読み出すＰＣ２００のＣＰＵ２１０が「最先印刷媒体情報取得手段」に相当する。なお、ユーザへの交換勧告の仕方としては、モニタ２７１に表示するのではなく、音声によりユーザに報知する等、他の各種の方法を採用することも可能である。
【０１０７】
また、本実施形態では、テープ印刷装置１に装着されるテープカセット３５０は、予め印刷用テープと剥離テープが積層されたラベルテープ３００を備えたものであるが、別個のスプールに印刷用テープと剥離テープを備え、テープカセット内で、印刷と同時に両者を貼り合わせるタイプのテープカセットを採用してもよい。さらに、２層テープではなく、１層テープを採用し、ハーフカットは施さない構成としてもよい。
【０１０８】
また、前述の実施形態では、用紙ＩＤは、用紙サイズのみを特定する識別情報として説明したが、他に、普通紙、ラミネート加工紙、プラスティックフィルム等、用紙の材質等を特定する識別情報を用いることも可能である。
【０１０９】
なお、前述の実施形態では、編集領域を「シート」と表現しているが、本発明は、編集領域の名称により限定されるものではない。編集領域は、それぞれについて独立して編集や印刷条件の設定が行えるものであればよく、「ページ」や「レイアウト」等の他の名称であっても構わない。
【図面の簡単な説明】
【０１１０】
【図１】テープ印刷装置１に接続された状態のＰＣ２００の外観斜視図である。
【図２】ＰＣ２００の電気的構成を示すブロック図である。
【図３】ＲＡＭ２３０の記憶領域の説明図である。
【図４】ＨＤＤ２５０の記憶領域の説明図である。
【図５】カバー５を開放した状態のテープ印刷装置１の内部構造を示す部分側面図である。
【図６】テープ印刷装置１の電気的構成を示すブロック図である。
【図７】データ編集処理のフローチャートである。
【図８】モニタ２７１に表示される編集画面２７１０の模式図である。
【図９】プリンタ設定画面１６１の模式図である。
【図１０】用紙設定画面１６２の模式図である。
【図１１】印刷設定画面１８０の模式図である。
【図１２】印刷制御処理のフローチャートである。
【図１３】印刷データ作成処理のフローチャートである。
【図１４】５つのシートの用紙およびプリンタの設定の説明図である。
【図１５】２０ｍｍ幅のテープへの印刷結果の説明図である。
【図１６】３０ｍｍ幅のテープへの印刷結果の説明図である。
【符号の説明】
【０１１１】
１    テープ印刷装置
２００  ＰＣ
２１０  ＣＰＵ
【図１】
2008234481.tif 000003
【図２】
2008234481.tif 000004
【図３】
2008234481.tif 000005
【図４】
2008234481.tif 000006
【図５】
2008234481.tif 000007
【図６】
2008234481.tif 000008
【図７】
2008234481.tif 000009
【図８】
2008234481.tif 000010
【図９】
2008234481.tif 000011
【図１０】
2008234481.tif 000012
【図１１】
2008234481.tif 000013
【図１２】
2008234481.tif 000014
【図１３】
2008234481.tif 000015
【図１４】
2008234481.tif 000016
【図１５】
2008234481.tif 000017
【図１６】
2008234481.tif 000018